(57)【要約】【課題】粉状薬剤を鼻腔内に施薬する装置に付いて、規定量の薬剤を確実に使用者に施薬し得ることを目的とする改良である。【解決手段】鼻腔内に施薬する装置において、カプセル収容保持部３０の空気流通路３１に一方向弁３３を設け、この一方向弁３３はスプリング３４により開弁圧力が規定されており、ポンプ部５０からの空気圧力で開弁し、一方向弁端部７１は、一方向弁３３が開弁している場合にはカプセル入出部４０およびカプセルＫの入出動作と干渉することはなく、施薬時にポンプ部５０を押圧して一方向弁３３が開弁している場合はカプセルＫの内側まで入り込んでカプセルＫ内の薬剤を分散させ、一方向弁３３まで落下した薬剤を含み規定量の薬剤を使用者の鼻腔へ施薬できるようにしたものである。【選択図】          図２
2005168513.tif 000002
【特許請求の範囲】
【請求項１】
粉状薬剤が充填されたカプセルを収容保持するカプセル収容保持部と、カプセル収容保持部に施薬用の空気を供給するために、カプセル収容保持部に接続して設けられたポンプ部と、ポンプ部からカプセル内の薬剤を使用者の鼻腔に送達、施薬するために設けられた薬剤施薬噴霧部とからなる鼻腔用粉状薬剤施薬装置において、前記カプセル収容保持部に、薬剤施薬噴射時に作動してカプセル内の薬剤を分離、分散させるための可動部材を備えたことを特徴とする鼻腔用粉状薬剤施薬装置。
【発明の詳細な説明】
【０００１】
【発明の属する技術分野】
本発明は、粉状の薬剤を鼻腔内に施薬するのに好適な、鼻腔用粉状薬剤施薬装置に関する。
【０００２】
【従来の技術】
一般的に、鼻炎や鼻アレルギー等の疾患を持つ患者に粉状薬剤を鼻腔に施薬する治療方法が知られている。この治療方法では、専用の施薬装置を用いてカプセル内に充填した粉状の薬剤を鼻腔に施薬している。この治療方法に用いられる施薬装置としては、特開昭５９−３４２６７号公報（以下、従来技術という）に示されるものが従来から案出されている。
【０００３】
この従来技術における装置では、円筒部材の空気流入側にはポンプ部が設けられ、この円筒部材の空気流出側にはカプセルが挿入される凹形状部が形成され、この凹形状部に先端部を嵌合することによってカプセル収容部を形成し、このカプセル収容部からポンプ部に向けて、弁機構を持つ空気導入通路が形成されている。
【０００４】
また、前記ポンプ部の他側にはもうひとつの弁機構が設けられ、この弁機構と空気導入通路内の弁機構により、ポンプ部の押圧時にはカプセル収容部に空気導入通路を介して空気が供給され、ポンプ部の復帰時には外部から空気をポンプ部内に吸い込むようになっている。
【０００５】
さらに、前記円筒部材の先端部に嵌合するキャップを有し、このキャップの内側には軸方向に伸びる針を設け、前記円筒部材の凹形状部と開口部を有する先端部を嵌合させた状態でキャップをはめることにより、カプセルの軸方向両側に穴あけを行う構成となっている。
【０００６】
このように構成される従来技術では、まずカプセルの穴あけには、粉状薬剤が充填されたカプセルを円筒部材の凹形状部に挿入した後に先端部を嵌合してカプセルをカプセル収納部に挿着し、固い樹脂でできた先端部にキャップをはめることにより、先端部にガイドされたキャップの内側に設けられた針により、カプセルの軸方向両側先端部に穴をあける。
【０００７】
次に、薬剤を投与するには、円筒部材からキャップを外して先端部を使用者が片方の鼻腔に挿入し、ポンプ部を押圧することによりポンプ部からの空気が空気導入通路を介してカプセル内に流れ、カプセル内の薬剤を使用者の鼻腔に送達して施薬し、また両鼻腔への挿入以下の動作を繰返して行うことにより両鼻腔への施薬が行われる。
【０００８】
【発明が解決しようとする課題】
上述した従来技術による装置では、着脱可能なキャップに設けられた針によりカプセルの穴あけを行い、次にポンプ部を押圧してカプセル内の薬剤を使用者の鼻腔に送達して施薬するが、薬剤が流動性や分離性が良くない薬剤や、カプセルに発生する静電気によりカプセル内面に付着するような薬剤の場合は、ポンプ部を何回も押圧してもカプセル内に薬剤が残ってしまい、使用者に必要な量の薬剤の施薬ができなくなるといった問題が発生する。
【０００９】
【課題を解決するための手段】
上述した課題を解決するための本発明は、粉状薬剤が充填されたカプセルを収容保持するカプセル収容保持部と、カプセル収容保持部に施薬用の空気を供給するために、カプセル収容保持部に接続して設けられたポンプ部と、ポンプ部からカプセル収容保持部に設けられた空気流通路を介して供給される空気により、カプセル収容保持部のカプセル内の薬剤を使用者の鼻腔に送達、施薬するためにカプセル収容保持部に設けられた薬剤施薬噴霧部と、前記空気流通路にポンプ押圧時に、そのカプセル側の端部がカプセル内に入り込み、カプセル内を流れる空気流を整流してカプセル内の薬剤を分離、分散させるために、スプリングにより開弁圧力を規定された一方向弁を設けて構成したことにある。
【００１０】
【発明の実施の形態】
以下に、本発明の実施の形態を、具体的実施例に基づいて説明していく。
【００１１】
【実施例】
本発明の具体的な実施例を、図１ないし図８に基づき説明する。
【００１２】
図１は本実施例による鼻腔用粉状薬剤施薬装置の側面図を示し、図２は本実施例に示す鼻腔用粉状薬剤施薬装置の側面図の断面図である。鼻腔用粉状薬剤施薬装置１０は、薬剤施薬噴霧部２０と共にカプセルＫを収納保持するカプセル収納保持部３０と、カプセル収納保持部３０に引出し式に設けられたカプセル入出部４０と、カプセル収納保持部３０の空気流入側に位置して設けられカプセルＫに向けて空気を供給するポンプ部５０と、前記カプセル収納保持部３０のカプセル入出部４０のカプセルＫの軸方向両側に位置してカプセル入出部４０の入出動作によりカプセルＫの軸方向両側に穴をあけるための刃具６０Ａ、６０Ｂとから大略構成されている。
【００１３】
薬剤施薬噴霧部２０において、カプセル収容保持部３０のカプセルＫの軸方向上側（空気流出側）には、薬剤通路２１が設けられ、薬剤通路２１の先端部は可撓性をもつチューブでできたノズル２２が形成される。
【００１４】
カプセル収容保持部３０のカプセルＫの軸方向下側（空気流入側）の空気流通路３１には、カプセルＫからの粉状薬剤のポンプ部５０への落下、逆流を防止する一方向弁３３が設けられ、この一方向弁３３はスプリング３４によりポンプ部５０からの空気圧力が規定圧力以上になった時に開弁するように、またポンプ部５０の空気圧力が規定圧力より低い場合には空気流通入口３５を閉止して空気の逆流を防止するようになっている。
【００１５】
また、一方向弁３３のカプセルＫ側の端部である一方向弁端部７１は、一方向弁３３が開弁している場合には刃具６０ＢとカプセルＫが接する面より下側（ポンプ部５０側）にあり、カプセル入出部４０およびカプセルＫの入出動作と干渉することはなく、後述する施薬時にポンプ部５０を押圧して一方向弁３３が開弁している場合は、カプセルＫの内側まで入り込む構成となっている。
【００１６】
カプセル入出部４０は、カプセルＫを着脱する位置にカプセル着脱用凹部４１を持ち、カプセル収容保持部３０へカプセルＫの軸方向に対して横方向に引出し式に出入りできるようになっており、カプセル収容保持部３０に設けられた凸部３７にカプセル入出部４０の引出端部４４が当接することにより、引出し開端が規制される構成となっている。
【００１７】
また、カプセル入出部４０をカプセル収容保持部３０に入れ込むときには、カプセル入出部４０の入出部凸部４５がカプセル収容保持部３０の当接面３６に当接することで入れ込み端が規制される。
【００１８】
ポンプ部５０は、ゴム弾性をもつ材料により取付部５１、底部５２および周面が押圧部５３となった有底円筒状に形成され、取付部５１はカプセル収容保持部３０のカプセル収容保持部下部３８の円筒状の外周面に気密に装着され、底部５２の中央部には空気取入弁５４が取り付けられている。
【００１９】
空気取入弁５４は、ゴム弾性を持つ材料で形成され、空気取入穴５５と取入弁体５６とから構成され、ポンプ部５０が押圧された時には閉弁し、ポンプ部５０が押圧後に復帰する時には開弁して外部からポンプ部５０に空気を供給する。
【００２０】
本実施例による鼻腔用粉状薬剤施薬装置１０は、上述したように構成されるが、次に図４ないし図６に基づいてカプセルの穴あけ時の動作について説明する。
【００２１】
まず、図４に示すように、カプセルＫをカプセル入出部４０のカプセル着脱用凹部４１に置き、カプセル入出部４０のカプセル入出部端面４６を押し、カプセル入出部４０がカプセル収容保持部３０に入り込むようにする。
【００２２】
そして、図５のように、カプセル入出部４０のカプセル着脱用凹部４１に置かれたカプセルＫがカプセル収容保持部３０に入り込むにしたがい、カプセル収容保持部３０にカプセルＫの軸方向に対して横方向にカプセルＫの軸方向両側に位置して設けられた刃具６０Ａ、６０ＢがカプセルＫの軸方向両側端部ＫＡ、ＫＢを切断することにより、カプセルＫの軸方向両側に穴があけられる。
【００２３】
さらに、カプセル入出部４０のカプセル入出部端面４６を押し、入出部凸部４５がカプセル収容保持部３０の当接面３６に当接させることにより、すでに軸方向両側に穴があけられたカプセルＫは薬剤施薬噴霧部２０の薬剤通路２１およびカプセル収容保持部３０の空気流通路３１と連通し、施薬の準備ができる。
【００２４】
このとき、図６のように、軸方向両側に穴があけられたカプセルＫ内の薬剤が、空気流通路３１に向けて落下するが、一方向弁３３がスプリング３４の働きで閉じていることにより、ポンプ部５０への落下、逆流が防止される。
【００２５】
このように、本実施例によるに鼻腔用粉状薬剤施薬装置１０の穴あけ時においては、カプセルＫを鼻腔用粉状薬剤施薬装置１０に収納する動作のみでカプセルＫの軸方向両側に容易に穴があけられると共に、一方向弁３３によって穴あけ後に落下、逆流する薬剤のポンプ部への落下、逆流を完全に防止できる。
【００２６】
次に、カプセルＫに穴あけを行った後に使用者に施薬する施薬時の作動について図７に基づいて説明する。
【００２７】
まず、薬剤施薬噴霧部２０のノズル２２を使用者の鼻腔に挿入し、図７に示すようにポンプ部５０の押圧部５３を矢示Ｐ方向に押圧することにより、一方向弁３３に負荷される空気の圧力が高まり、規定の圧力に達すると一方向弁３３が開弁しポンプ部５０から一方向弁３３および空気流通路３１を通りカプセルＫに向けて空気が供給される。
【００２８】
これにより、ポンプ部５０からの空気はカプセルＫ内から薬剤通路２１およびノズル２２を介して使用者の鼻腔に流入する。
【００２９】
このとき、一方向弁端部７１は、空気流通路３１から外れてカプセルＫ内に入り込む位置にあり、弁小径部７２が空気流通路３１内にあることにより空気の流通を阻害しない。
【００３０】
空気流通路３１を通過する空気の一部は、弁小径部７３に続く整流面７２にぶつかり、カプセルＫの内面に沿う空気流や、カプセルＫ内を撹拌する空気流を発生し、カプセルＫ内に凝集した薬剤やカプセルＫの内面に付着した薬剤を分離、分散させて、他の空気や薬剤と共に使用者の鼻腔に送達、施薬される。
【００３１】
さらに、穴あけ時に一方向弁３３まで落下、逆流した薬剤はポンプ部５０からの空気により送り出され、カプセルＫ内の薬剤と共に使用者の鼻腔に送達、施薬される。この結果、カプセルＫ内に充填された薬剤の規定量を確実に使用者の鼻腔に送達、施薬できる。
【００３２】
また、ポンプ部５０の押圧が終了する直前には、一方向弁３３に負荷される空気の圧力が弱まり一方向弁３３が開弁する規定の圧力より低くなると、一方向弁３３は閉弁するが、一方向弁３３が閉弁する直前までポンプ部５０からカプセルＫに向かって空気は流れている。これによりカプセルＫ内や空気流通路３１の薬剤はポンプ部５０へ落下、逆流することなくポンプ部５０への薬剤の落下、逆流を確実に防止できる。
【００３３】
さらに、ポンプ部５０の押圧が終了し押圧を解除すると、ゴム弾性をもつポンプ部５０の押圧部５３が矢示Ｒ方向に戻り、ポンプ部５０内に負圧を生じさせることにより空気取入弁５４の取入弁体５６が外部の空気の圧力により開いて空気取入穴５５を介し外部からポンプ部５０内に空気が流入することで、ポンプ部５０の押圧部を二点鎖線で示すように元の状態に復帰する。
【００３４】
本実施例による鼻腔用粉状薬剤施薬装置１０においては、カプセル収容保持部３０には空気流通路３１にカプセルＫから落下、逆流してくる粉状薬剤のポンプ部５０への落下、逆流を防止する一方向弁３３が設けられている。この一方向弁３３はポンプ部５０からの空気圧力が規定圧力以上になったときに開弁し、このとき一方向弁端部７１が空気流通路３１から外れてカプセル内に入り込み、弁小径部７３が空気流通路３１内にあることにより空気の流通を阻害しない。そして、空気流通路３１を通過する空気は、弁小径部７３に続く整流面７２にぶつかり、カプセルＫの内面に沿う空気流や、カプセルＫ内を撹拌する空気流を発生し、従来技術ではカプセルＫ内に残ってしまう流動性や分離性が良くない薬剤や、カプセルＫに発生する静電気によりカプセルＫの内面に付着するような薬剤であっても、カプセルＫ内に凝集した薬剤や、カプセルＫの内面に付着した薬剤を分離、分散して一方向弁まで落下、逆流した薬剤を含み空気と共に使用者の鼻腔にカプセルＫ内に充填された規定量の薬剤を確実に送達、施薬でき、従来技術の問題が解消できる。
【００３５】
【発明の効果】
以上のように、本発明は、カプセル収容保持部とポンプ部の間に、穴あけ後のカプセルから落下、逆流してくる薬剤のポンプ部への落下、逆流を防止し、ポンプ部の作動によりカプセル内の薬剤と共に施薬するようにスプリングにより開弁圧力を規定した一方向弁のカプセル側端部に一方向弁端部を設けたことから、施薬時にポンプ部からの空気によって一方向弁が開弁したときに、空気流通路を通過する空気が弁小径部に続く一方向弁の整流面にぶつかり、カプセル内面に沿う空気流やカプセル内を撹拌する空気流を発生し、カプセル内面に付着した薬剤や、カプセル内で凝集した薬剤を分離、分散させて一方向弁まで落下、逆流した薬剤を含み空気と共に使用者の鼻腔に送達、施薬できる。
【００３６】
したがって、従来技術では解消が困難であった、流動性や分離性が良くない薬剤や、カプセルに発生する静電気によりカプセルの内面に付着するような薬剤の場合における、カプセル内への薬剤の残りの発生という問題を解消することができ、カプセル内に充填された規定量の薬剤を、確実に使用者の鼻腔に送達、施薬できる利点を有している。
【図面の簡単な説明】
【図１】本発明の実施例を示す側面図である。
【図２】本発明の実施例を示す断面図である。
【図３】図２の部分詳細図である。
【図４】カプセル入出部を引き出してカプセルを置いた状態を示す図である。
【図５】カプセルを置いたカプセル入出部をカプセル収容保持部に入れ込む途中の状態で刃具がカプセル端部を切断しつつある状態を示す断面図である。
【図６】カプセル端部が刃具により切断され、穴あけが完了してカプセル内の薬剤がポンプ部方向へ落下、逆流している状態を示す断面図である。
【図７】ポンプ部を押圧することによりカプセル内の薬剤を送達、施薬している状態を示す断面図である。
【図８】図７の部分詳細図である。
【符号の説明】
１０・・・鼻腔用粉状薬剤施薬装置
２０・・・薬剤施薬噴霧部
２１・・・薬剤通路
２２・・・ノズル
３０・・・カプセル収容保持部
３１・・・空気流通路
３３・・・一方向弁
３４・・・スプリング
３５・・・空気流通入口
３６・・・当接面
３７・・・凸部
３８・・・カプセル収容保持部下部
４０・・・カプセル入出部
４１・・・カプセル着脱用凹部
４２Ａ，４２Ｂ・・・カプセル切端排出部
４４・・・引出端部
４５・・・入出部凸部
４６・・・カプセル入出部端面
５０・・・ポンプ部
５１・・・取付部
５２・・・底部
５３・・・押圧部
５４・・・空気取入弁
５５・・・空気取入穴
５６・・・取入弁体
６０Ａ，６０Ｂ・・・刃具
７１・・・一方向弁端部
７２・・・整流面
７３・・・弁小径部
Ｋ・・・・カプセル
ＫＡ，ＫＢ・・・カプセル端部
【図１】
2005168513.tif 000003
【図２】
2005168513.tif 000004
【図３】
2005168513.tif 000005
【図４】
2005168513.tif 000006
【図５】
2005168513.tif 000007
【図６】
2005168513.tif 000008
【図７】
2005168513.tif 000009
【図８】
2005168513.tif 000010